(57)【要約】【課題】タイマー機能を有して低消費電力で残り時間の表示を行う。【解決手段】制御部１２は、入力部１１のレーザ照射ボタンが押下されると、照明部１６の照明（または、概略表示部１７の表示）を停止する。一方、レーザ照射ボタンが押下されないと、残り時間を表示している表示部１５の照明部１６による照明（または、概略表示部１７による残り時間概略表示）を行う。こうして、残り時間の確認を行わないレーザ照射時には電力の消費を抑える。さらに、残り時間表示ボタンが押下されると、概略表示部１７の表示を停止し、照明部１６によって表示部１５を照明する。一方、上記残り時間表示ボタンが押下されないと、照明部１６の照明を停止し、概略表示部１７によって残り時間を概略表示する。こうして、照明部１６による表示部１５の照明と概略表示部１７による残り時間概略表示とを同時に行わないようにして、消費電力を低く抑える。【選択図】　図２
2004020604.tif 000002
【特許請求の範囲】
【請求項１】
レーザ照射部から照射されたレーザビームによって任意の位置を照射して指示するレーザポインタにおいて、
外部から指示された時点からの経過時間を計測すると共に、予め設定された設定時間から上記経過時間を減算した残り時間を表す残り時間情報を出力するタイマー部と、
上記タイマー部からの残り時間情報に基づいて、上記残り時間を表示する表示部と、
外部からの指示に応じて、上記レーザ照射部と表示部とが同時に動作しないように、上記レーザ照射部および表示部の動作を制御する制御部
を備えたことを特徴とするレーザポインタ。
【請求項２】
レーザ照射部から照射されたレーザビームによって任意の位置を照射して指示するレーザポインタにおいて、
外部から指示された時点からの経過時間を計測すると共に、予め設定された設定時間から上記経過時間を減算した残り時間を表す残り時間情報を出力するタイマー部と、
上記タイマー部からの残り時間情報に基づいて、上記残り時間を表示する表示部と、
上記表示部を照明する照明部と、
外部からの指示に応じて、上記レーザ照射部と照明部とが同時に動作しないように、上記レーザ照射部および照明部の動作を制御する制御部
を備えたことを特徴とするレーザポインタ。
【請求項３】
レーザ照射部から照射されたレーザビームによって任意の位置を照射して指示するレーザポインタにおいて、
外部から指示された時点からの経過時間を計測すると共に、予め設定された設定時間から上記経過時間を減算した残り時間を表す残り時間情報を出力するタイマー部と、
上記タイマー部からの残り時間情報に基づいて、上記残り時間の概略を表示する概略表示部と、
外部からの指示に応じて、上記レーザ照射部と概略表示部とが同時に動作しないように、上記レーザ照射部および概略表示部の動作を制御する制御部
を備えたことを特徴とするレーザポインタ。
【請求項４】
レーザ照射部から照射されたレーザビームによって任意の位置を照射して指示するレーザポインタにおいて、
外部から指示された時点からの経過時間を計測すると共に、予め設定された設定時間から上記経過時間を減算した残り時間を表す残り時間情報を出力するタイマー部と、
上記タイマー部からの残り時間情報に基づいて、上記残り時間を表示する表示部と、
上記タイマー部からの残り時間情報に基づいて、上記残り時間の概略を表示する概略表示部と、
外部からの指示に応じて、上記表示部と概略表示部とが同時に動作しないように、上記表示部および概略表示部の動作を制御する制御部
を備えたことを特徴とするレーザポインタ。
【請求項５】
レーザ照射部から照射されたレーザビームによって任意の位置を照射して指示するレーザポインタにおいて、
外部から指示された時点からの経過時間を計測すると共に、予め設定された設定時間から上記経過時間を減算した残り時間を表す残り時間情報を出力するタイマー部と、
上記タイマー部からの残り時間情報に基づいて、上記残り時間を表示する表示部と、
上記表示部を照明する照明部と、
上記タイマー部からの残り時間情報に基づいて、上記残り時間の概略を表示する概略表示部と、
外部からの指示に応じて、上記照明部と概略表示部とが同時に動作しないように、上記照明部および概略表示部の動作を制御する制御部
を備えたことを特徴とするレーザポインタ。
【発明の詳細な説明】
【０００１】
【発明の属する技術分野】
この発明は、レーザビームによって所定の位置を照射して指示するレーザポインタに関する。
【０００２】
【従来の技術】
ＯＨＰ（オーバーヘッドプロジェクタ）等を用いた講演会や講義等において、ＯＨＰによって投影された内容を指示するための機器としてレーザポインタが用いられている。このようなレーザポインタを操作して講演会や講義等を行う講演者は、決められた発表時間内に自分の講演や講義等を終了する必要がある。その為に、講演時間の経過を講演者に報知するタイマー機能を内臓したレーザポインタが提案されている。例えば、実登３０３９４９２号公報に開示されたレーザポインタにおいては、装置を振動させることによって予め入力設定された時間が経過したことを講演者に知らせるものである。
【０００３】
【発明が解決しようとする課題】
しかしながら、上記従来の実登３０３９４９２号公報に開示されたレーザポインタにおいては、講演者は予め入力された時間が経過したことを知ることはできるが、残り時間がどれだけあるのかを知ることはできないという問題がある。
【０００４】
そこで、残り時間を講演者に報知する方法として、液晶等の表示装置を用いて残り時間を数値で表示する方法や、液晶表示装置やＬＥＤ（発光ダイオード）等を用いて残り時間をグラフとして視覚的に表示する方法がある。例えば、後者の場合には、上記ＬＥＤを複数個使用し、タイマーの開始時には総てのＬＥＤを点灯させ、一定時間毎に１つずつＬＥＤを消灯させ、残り時間が０となった時には総てのＬＥＤが消灯するようにして、講演者に点灯しているＬＥＤの個数によって残り時間を大まかに報知するのである。
【０００５】
しかしながら、このように、講演者に視覚的に残り時間を報知する場合には、１つの制約がある。すなわち、ＯＨＰ等を利用する環境においては、ＯＨＰによって投影される内容をより見やすくする為に、照明の明るさを低くしている場合が多い。したがって、視覚的に残り時間を報知する場合には、表示装置が自発光する若しくは表示装置を照明する必要がある。ところが、これらの自発光表示装置や照明装置等は、レーザー照射装置と同様に多量の電流を必要とするものが多く、電池等によって電源供給を行う場合には、電池寿命が短くなる等の弊害がある。
【０００６】
レーザポインタの省電流対策としては、実公平８‐９７００号公報，特許２７８２４５０号公報，特許２８４４７８２号公報等がある。何れの場合も、レーザポインタ単体としての省電流対策であり、残り時間を報知する表示装置に対する省電流対策とはなり得ないものである。
【０００７】
以上のごとく、実登３０３９４９２号公報に開示されようなタイマー機能を内臓するレーザポインタにおいては、決められた時間に対する残り時間を知ることはできないという問題がある。また、残り時間を視覚的に報知する機能を付加したレーザポインタにおいては、消費電流量が大きくなるという問題がある。
【０００８】
そこで、この発明の目的は、タイマー機能を有して残り時間を視覚的に報知することができる低消費電力のレーザポインタを提供することにある。
【０００９】
【課題を解決するための手段】
上記目的を達成するため、この発明のレーザポインタは、タイマー部からの残り時間情報に基づいて設定時間から経過時間を減算した残り時間（以下、「設定時間に対する残り時間」と言う）を表示する表示部を有している。そして、制御部によって、外部からの指示に応じて、レーザ照射部及び表示部の動作が、互いが同時に動作しないように制御される。したがって、上記制御部に対して外部からレーザの照射が指示されると、上記レーザ照射部が動作されてレーザビームが照射される。一方、上記表示部の動作が停止されて残り時間は表示されない。こうして、使用者が講演や講義の残り時間の確認を行うことが無いレーザ照射時には、上記表示部による残り時間の表示が停止されて消費電力の抑制が図られる。
【００１０】
また、この発明のレーザポインタは、タイマー部からの残り時間情報に基づいて設定時間に対する残り時間を表示する自発光方式によらない表示部と、この表示部を照明する照明部とを有している。そして、制御部によって、外部からの指示に応じて、レーザ照射部及び上記照明部の動作が、互いが同時に動作しないように制御される。したがって、上記制御部に対して外部からレーザの照射が指示されると、上記レーザ照射部が動作されてレーザビームが照射される。一方、上記照明部の動作が停止されて上記表示部は照明されない。こうして、使用者が講演や講義の残り時間の確認を行うことが無いレーザ照射時には、上記照明部による表示部の照明が停止されて、消費電力の抑制が図られる。
【００１１】
また、この発明のレーザポインタは、タイマー部からの残り時間情報に基づいて、設定時間に対する残り時間の概略を表示する概略表示部を有している。そして、制御部によって、外部からの指示に応じて、レーザ照射部および上記概略表示部の動作が、互いが同時に動作しないように制御される。したがって、上記制御部に対して外部からレーザの照射が指示されると、上記レーザ照射部が動作されてレーザビームが照射される。一方、上記概略表示部の動作が停止されて残り時間の概略は表示されない。こうして、使用者が講演や講義の残り時間の確認を行うことが無いレーザ照射時には、上記概略表示部による残り時間の概略表示が停止されて消費電力の抑制が図られる。
【００１２】
また、この発明のレーザポインタは、タイマー部からの残り時間情報に基づいて設定時間に対する残り時間を表示する表示部と、上記残り時間の概略を表示する概略表示部とを有している。そして、制御部によって、外部からの指示に応じて、上記表示部および概略表示部の動作が、互いが同時に動作しないように制御される。したがって、上記制御部に対して外部から残り時間の正確な表示が指示されると、上記表示部が動作されて残り時間が表示される。一方、上記概略表示部の動作が停止されて残り時間の概略表示は行われない。こうして、同時に行う必要の無い上記表示部による残り時間の表示と上記概略表示部による残り時間の概略表示とが同時に行われないようにして、消費電力の抑制が図られる。
【００１３】
また、この発明のレーザポインタは、タイマー部からの残り時間情報に基づいて設定時間に対する残り時間を表示する自発光方式によらない表示部と、この表示部を照明する照明部と、上記残り時間の概略を表示する概略表示部とを有している。そして、制御部によって、外部からの指示に応じて、上記照明部および概略表示部の動作が、互いが同時に動作しないように制御される。したがって、上記制御部に対して外部から残り時間の正確な表示が指示されると、上記照明部が動作されて上記表示部が照明される。一方、上記概略表示部の動作が停止されて残り時間の概略表示は行われない。こうして、同時に行う必要の無い上記照明部による上記表示部の照明と上記概略表示部による残り時間の概略表示とが同時に行われないようにして、消費電力の抑制が図られる。
【００１４】
【発明の実施の形態】
以下、この発明を図示の実施の形態により詳細に説明する。
【００１５】
＜第１実施の形態＞
図１は、本実施の形態のレーザポインタ１における外観を示す平面図である。図１において、２はレーザ照射ボタンであり、３はレーザ射出口である。使用者は、レーザ射出口３を指示したい方向へ向けてレーザ照射ボタン２を押下すことによって、ＯＨＰ等によって投影された画面上における任意の箇所を指示するのである。
【００１６】
また、４は残り時間を数値で表示する液晶表示装置であり、その裏面側からバックライト（図示せず）によって照明される。５は残り時間概略表示部であり、４個のＬＥＤで構成されている。６は残り時間表示ボタンである。この残り時間表示ボタン６を押下することによって、液晶表示装置４のバックライトが点灯して残り時間を確認することができる。それ以外の場合は、上記バックライトが消灯しているために液晶表示装置４で残り時間を確認することはできない。したがって、使用者は、残り時間概略表示部５によって残り時間の大まかな把握を行うのである。
【００１７】
７は、タイマー設定ボタンであり、タイマーの設定やタイマーの開始・終了操作のために使用される。タイマーをスタートさせた場合には、残り時間概略表示部５の４個のＬＥＤの総てを点灯する。そして、上記タイマーによる設定時間の４分の１が経過する毎に、４個のＬＥＤが左から順に１つずつ消灯して行く。こうして、使用者は、点灯しているＬＥＤの数によって残り時間を大まかに把握することができるのである。
【００１８】
以上の構成において、使用者は、タイマー設定ボタン７を操作してタイマーの設定時間を入力し、講演開始と同時にタイマーを始動させる。そして、講演の途中に大まかに残り時間を確認したい場合には、残り時間概略表示部５のＬＥＤの数によって確認を行う。さらに、正確に残り時間を確認したい場合には、残り時間表示ボタン６を押下して、液晶表示装置４のバックライトを点灯させて、液晶表示装置４によって残り時間を数値で確認するのである。
【００１９】
図２は、図１に示すレーザポインタ１によるレーザ照射，残り時間の数値表示および残り時間の概略表示を実現するための構成を示すブロック図である。
【００２０】
入力部１１は、上記レーザ照射ボタン２，残り時間表示ボタン６およびタイマー設定ボタン７を含んで構成され、使用者の入力操作に使用される。尚、上記入力操作によって動作する機能としては、レーザーの照射・停止，タイマー時間の設定，タイマーの始動・停止・一時停止，残り時間の数値表示・停止，液晶表示装置４のバックライト点灯・消灯および残り時間の概略表示・停止等がある。
【００２１】
制御部１２は、使用者による上記入力部１１の入力操作に応じてレーザ照射部１３，タイマー部１４，表示部１５，照明部１６及び概略表示部１７を制御して、レーザーの照射・停止，タイマー時間の設定，タイマーの始動・停止・一時停止，残り時間の数値表示・停止，バックライト点灯・消灯および残り時間の概略表示・停止等を行う。レーザ照射部１３は、制御部１２からの制御信号に従って、レーザビームの照射および停止を行う。タイマー部１４は、制御部１２からの制御信号に従って、タイマー設定ボタン７の操作によって指示された時点からの経過時間を計測する。そして、タイマー設定ボタン７の操作によって予め設定された設定時間から上記経過時間を減算して残り時間を求め、制御部１２に上記残り時間および残り時間無しの情報を送る。表示部１５は、液晶表示装置４を含んで構成され、制御部１２からの制御信号に従って、タイマーの残り時間を数値で表示して報知する。照明部１６は、上記バックライトを含んで構成され、暗い場所でも液晶表示装置４の表示内容が見えるように、制御部１２からの制御信号に従って液晶表示パネルを裏面側から照明する。尚、照明部１６が停止している場合には、暗い場所で液晶表示装置４の表示内容を見ることは困難である。概略表示部１７は、制御部１２からの制御信号に従って、残り時間を残り時間概略表示部５の各ＬＥＤの点灯数で表示する。電源部１８は、二重線の矢印で示すように各部１１〜１７に電源を供給する。
【００２２】
以下、上記制御部１２によって実行される残り時間の数値表示および残り時間の概略表示について詳細に説明する。本実施の形態においては、使用者が、入力部１１を構成するレーザ照射ボタン２の押下によってレーザ照射実行を指示した場合にのみレーザ照射を行うようにしている。そして、レーザ照射時には、使用者は、レーザポインタによる指示を行っているので講演の残り時間を確認することは無い。
【００２３】
ところで、上述したように、上記照明部１６や自発光表示手段である概略表示部１７等は多量の電流を必要とし、電池等によって電源供給を行う場合には電池寿命が短くなる。そこで、レーザ照射部１３によるレーザ照射と照明部１６による表示部１５の照明または概略表示部１７による残り時間概略表示とを同時には行わない仕様にして、消費電力を低く抑えるようにしている。
【００２４】
図３は、上記制御部１２によって実行されるレーザ照射処理動作のフローチャートである。以下、図３に従って、レーザ照射処理動作とそれに伴う照明部１６による表示部１５の照明とについて説明する。使用者によって入力部１１のタイマー設定ボタン７が操作され、タイマーの時間設定が行われた後タイマーがスタートされると、レーザ照射処理動作がスタートする。
【００２５】
ステップＳ１で、上記タイマー部１４によって、制御部１２からの制御信号に従って時間の計時が開始される。そして、制御部１２に残り時間を表す信号が送出される。そうすると、制御部１２からの表示信号および残り時間情報に基づいて、表示部１５による残り時間の表示が開始される。ステップＳ２で、制御部１２によって、入力部１１のレーザ照射ボタン２が押下されているか否かが判別される。その結果、押下されていればステップＳ３に進み、押下されていなければステップＳ７に進む。
【００２６】
ステップＳ３で、上記制御部１２から照明部１６に対して照明停止信号が出力される。ステップＳ４で、照明部１６によって、制御部１２からの照明停止信号に応じて表示部１５の照明が停止される。こうして、電力の消費が抑えられるのである。ステップＳ５で、制御部１２からレーザ照射部１３に対してレーザ照射信号が出力される。ステップＳ６で、レーザ照射部１３によって、制御部１２からのレーザ照射信号に応じてレーザが照射される。
【００２７】
ステップＳ７で、上記制御部１２から照明部１６に対して照明信号が送出される。ステップＳ８で、上記照明部１６によって、制御部１２からの照明信号に応じて、残り時間を表示している表示部１５が照明される。ステップＳ９で、制御部１２からレーザ照射部１３に対してレーザ照射停止信号が出力される。ステップＳ１０で、レーザ照射部１３によって、制御部１２からのレーザ照射停止信号に応じてレーザ照射が停止される。ステップＳ１１で、制御部１２によって、タイマー部１４からの残り時間情報に基づいて、講演の残り時間が「０」であるか否かが判別される。その結果、残り時間が「０」でなければ上記ステップＳ２に戻ってレーザ照射ボタン２の押下判定に移行する。一方、残り時間が「０」であればレーザ照射処理動作を終了する。
【００２８】
上述のように、本レーザ照射処理動作においては、上記タイマー設定ボタン７が操作され、タイマーの時間設定が行われて計時がスタートされると、表示部１５による残り時間の表示も開始される。そして、レーザ照射ボタン２が押下されると照明部１６による表示部１５の照明を停止する一方、レーザ照射ボタン２が押下されないと照明部１６による表示部１５の照明を行うようにしている。したがって、使用者が講演の残り時間の確認を行うことが無いレーザ照射時には、照明部１６による表示部１５の照明を停止して、電力の消費を抑えることができるのである。
【００２９】
図４は、上記制御部１２によって実行される図３とは異なるレーザ照射処理動作のフローチャートである。以下、図４に従って、レーザ照射処理動作とそれに伴う概略表示部１７による残り時間の概略表示とについて説明する。使用者によって入力部１１のタイマー設定ボタン７が操作され、タイマーの時間設定が行われた後タイマーがスタートされると、レーザ照射処理動作がスタートする。
【００３０】
ステップＳ２１で、上記タイマー部１４によって、制御部１２からの制御信号に従って時間の計時が開始される。さらに、制御部１２に対する残り時間を表す信号の送出が開始される。ステップＳ２２で、制御部１２によって、入力部１１のレーザ照射ボタン２が押下されているか否かが判別される。その結果、押下されていればステップＳ２３に進み、押下されていなければステップＳ２７に進む。
【００３１】
ステップＳ２３で、上記制御部１２から概略表示部１７に対して表示停止信号が出力される。ステップＳ２４で、概略表示部１７によって、制御部１２からの表示停止信号に応じて、残り時間概略表示部５の各ＬＥＤが消灯される。こうして、電力の消費が抑えられるのである。ステップＳ２５で、制御部１２からレーザ照射部１３に対してレーザ照射信号が出力される。ステップＳ２６で、レーザ照射部１３によって、制御部１２からのレーザ照射信号に応じてレーザが照射される。
【００３２】
ステップＳ２７で、上記制御部１２から概略表示部１７に対して表示信号とタイマー部１４からの残り時間情報とが送出される。ステップＳ２８で、上記概略表示部１７によって、制御部１２からの表示信号に応じて、残り時間概略表示部５のＬＥＤが制御部１２からの残り時間情報に基づいた数だけ点灯される。ステップＳ２９で、制御部１２からレーザ照射部１３に対してレーザ照射停止信号が出力される。ステップＳ３０で、レーザ照射部１３によって、制御部１２からのレーザ照射停止信号に応じてレーザ照射が停止される。ステップＳ３１で、制御部１２によって、タイマー部１４からの残り時間情報に基づいて、講演の残り時間が「０」であるか否かが判別される。その結果、残り時間が「０」でなければ上記ステップＳ２２に戻ってレーザ照射ボタン２の押下判定に移行する。一方、残り時間が「０」であればレーザ照射処理動作を終了する。
【００３３】
上述のように、本レーザ照射処理動作においては、上記タイマー設定ボタン７が操作され、タイマーの時間設定が行われて計時がスタートされる。そして、レーザ照射ボタン２が押下されると概略表示部１７によるＬＥＤの点灯を停止する一方、レーザ照射ボタン２が押下されないと概略表示部１７によって残り時間に応じた数のＬＥＤを点灯するようにしている。したがって、使用者が講演の残り時間の確認を行うことが無いレーザ照射時には、概略表示部１７によるＬＥＤの点灯を停止して、電力の消費を抑えることができるのである。
【００３４】
ところで、本実施の形態においては、上記表示部１５による残り時間の数値表示と概略表示部１７による残り時間の概略表示との同じ情報を表示する二つの表示手段が搭載されており、この同じ情報を同時に確認する必要は無い。そこで、使用者によって、入力部１１の残り時間表示ボタン６が押下されていない場合には、概略表示部１７によって残り時間概略表示を行う。そして、正確な残り時間を確認するために残り時間表示ボタン６が押下された場合には、照明部１６によって表示部１５の照明を行うようにする。このように、概略表示部１７による残り時間概略表示と照明部１６による表示部１５の照明とを同時に行わない仕様にして、消費電力を低く抑えるのである。
【００３５】
図５は、上記制御部１２によって実行される残り時間表示処理動作のフローチャートである。以下、図５に従って、残り時間表示処理動作について説明する。使用者によって入力部１１のタイマー設定ボタン７が操作され、タイマーの時間設定が行われた後タイマーがスタートされると、残り時間表示処理動作がスタートする。
【００３６】
ステップＳ４１で、上記タイマー部１４によって、制御部１２からの制御信号に従って時間の計時が開始される。さらに、制御部１２に対する残り時間を表す信号の送出が開始される。ステップＳ４２で、制御部１２によって、入力部１１の残り時間表示ボタン６が押下されているか否かが判別される。その結果、押下されていればステップＳ４３に進み、押下されていなければステップＳ４７に進む。
【００３７】
ステップＳ４３で、上記制御部１２から概略表示部１７に対して表示停止信号が出力される。ステップＳ４４で、概略表示部１７によって、制御部１２からの表示停止信号に応じて、残り時間概略表示部５の各ＬＥＤが消灯される。こうして、電力の消費が抑えられるのである。ステップＳ４５で、制御部１２から照明部１６に対して照明信号が送出される。ステップＳ４６で、上記照明部１６によって、制御部１２からの照明信号に応じて、残り時間を表示している表示部１５が照明される。
【００３８】
ステップＳ４７で、上記制御部１２から照明部１６に対して照明停止信号が出力される。ステップＳ４８で、照明部１６によって、制御部１２からの照明停止信号に応じて表示部１５の照明が停止される。こうして、電力の消費が抑えられるのである。ステップＳ４９で、制御部１２から概略表示部１７に対して表示信号とタイマー部１４からの残り時間情報とが送出される。ステップＳ５０で、概略表示部１７によって、制御部１２からの表示信号に応じて、残り時間概略表示部５のＬＥＤが制御部１２からの残り時間情報に応じた数だけ点灯される。ステップＳ５１で、制御部１２によって、タイマー部１４からの残り時間情報に基づいて、講演の残り時間が「０」であるか否かが判別される。その結果、残り時間が「０」でなければ上記ステップＳ４２に戻って残り時間表示ボタン６の押下判定に移行する。一方、残り時間が「０」であれば残り時間表示処理動作を終了する。
【００３９】
上述のように、本残り時間表示処理動作においては、上記タイマー設定ボタン７が操作され、タイマーの時間設定が行われて計時がスタートされると、表示部１５による残り時間の表示も開始される。そして、残り時間表示ボタン６が押下されると、概略表示部１７によるＬＥＤの点灯を停止すると共に、残り時間を数値で表示している表示部１５を照明部１６によって照明する。一方、残り時間表示ボタン６が押下されないと、照明部１６による表示部１５の照明を停止すると共に、概略表示部１７によって残り時間に応じた数のＬＥＤを点灯するようにしている。したがって、同時に行う必要の無い照明部１６による表示部１５の照明と概略表示部１７による残り時間概略表示とを同時に行わないようにでき、消費電力を低く抑えることができるのである。
【００４０】
以上のごとく、本実施の形態においては、レーザポインタ１に、レーザ照射ボタン２，残り時間表示ボタン６およびタイマー設定ボタン７を含む入力部１１、レーザを照射するレーザ照射部１３、タイマーのカウント動作を行ってタイマーの残り時間を出力するタイマー部１４、液晶表示装置４を含んで構成されてタイマーの残り時間を数値で表示する表示部１５、液晶表示装置４を裏面側から照明する照明部１６、残り時間概略表示部５を含んで構成されて残り時間を概略表示する概略表示部１７を設けている。そして、制御部１２は、上述したようなレーザ照射処理動作や残り時間表示処理動作を実行する。
【００４１】
先ず、上記レーザ照射処理動作では、タイマー設定ボタン７が操作され、タイマーの時間設定が行われて計時がスタートされると、表示部１５による残り時間の表示も開始される。そして、レーザ照射ボタン２が押下されると照明部１６による表示部１５の照明を停止する一方、レーザ照射ボタン２が押下されないと照明部１６による表示部１５の照明を行うようにしている。したがって、使用者が講演の残り時間の確認を行うことが無いレーザ照射時には、照明部１６による表示部１５の照明を停止して、電力の消費を抑えることができるのである。
【００４２】
または、上記レーザ照射ボタン２が押下されると概略表示部１７によるＬＥＤの点灯を停止する一方、レーザ照射ボタン２が押下されないと概略表示部１７によって残り時間に応じた数のＬＥＤを点灯するようにしている。したがって、使用者が講演の残り時間の確認を行うことが無いレーザ照射時には、概略表示部１７によるＬＥＤの点灯を停止して、電力の消費を抑えることができるのである。
【００４３】
また、上記残り時間表示処理動作では、タイマー設定ボタン７が操作され、タイマーの時間設定が行われて計時がスタートされると、表示部１５による残り時間の表示も開始される。そして、残り時間表示ボタン６が押下されると、概略表示部１７によるＬＥＤの点灯を停止すると共に、残り時間を数値で表示している表示部１５を照明部１６によって照明する。一方、残り時間表示ボタン６が押下されないと、照明部１６による表示部１５の照明を停止すると共に、概略表示部１７によって残り時間に応じた数のＬＥＤを点灯するようにしている。したがって、同時に行う必要の無い照明部１６による表示部１５の照明と概略表示部１７による残り時間概略表示とを同時に行わないようにでき、消費電力を低く抑えることができるのである。
【００４４】
尚、上記実施の形態においては、上記レーザ照射ボタン２の押下によるレーザー照射処理動作と残り時間表示ボタン６の押下による残り時間表示処理動作とを異なる処理動作によって行っているが、１つの処理動作にまとめても差し支えない。例えば、図３に示すレーザ照射処理動作に、以下のような修正を施すことによって実現できる。すなわち、図３に示すレーザ照射処理動作におけるステップＳ３，Ｓ４では、照明部１６による照明と概略表示部１７による残り時間概略表示とを停止する。さらに、ステップＳ７，Ｓ８を、図５に示す残り時間表示処理動作におけるステップＳ４２〜ステップＳ５０と入れ換えるのである。
【００４５】
こうすることによって、上記レーザ照射ボタン２の押下されておらず、残り時間表示ボタン６が押下されている場合のみ照明部１６による表示部１５の照明を行い、上記レーザ照射ボタン２および残り時間表示ボタン６の両方が押下されていない場合のみ概略表示部１７による残り時間概略表示を行うことによって、消費電力を低く抑えることができるのである。
【００４６】
＜第２実施の形態＞
上記第１実施の形態におけるレーザポインタ１の構成においては、上記表示部１５を、照明部１６によって裏面側から照明して、暗い場所でも液晶表示装置４の表示内容が見えるようにしている。しかしながら、この発明はこれに限定されるものではなく、表示部１５を、自発光式の表示装置で構成しても一向に構わない。その場合には、照明部１６を必要とはしない。本実施の形態は、自発光式の表示部を有するレーザポインタに関する。
【００４７】
尚、本実施の形態におけるレーザポインタの外観は、図１に示すレーザポインタ１の外観と殆ど同じである。図６は、本実施の形態におけるレーザポインタのブロック図である。
【００４８】
入力部２１，レーザ照射部２３，タイマー部２４，概略表示部２６および電源部２７は、上記第１実施の形態において図２に示す入力部１１，レーザ照射部１３，タイマー部１４，概略表示部１７および電源部１８と同じであり、詳細な説明は省略する。表示部２５は、照明を必要とはしないＥＬ（エレクトロ・ルミネッセンス）等で成る自発光式の表示装置で構成されている。制御部２２は、図２に示す制御部１２における制御処理動作から照明部１６の制御を除いたものと略同様の制御動作を行う。以下、上記制御部２２によって実行される残り時間の数値表示および残り時間の概略表示について簡単に説明する。尚、その際におけるユーザの操作の説明には、必要に応じて図１を用いる。
【００４９】
図７は、上記制御部２２によって実行されるレーザ照射処理動作のフローチャートである。以下、図７に従って、レーザ照射処理動作とそれに伴う表示部２５による残り時間の表示とについて説明する。上記第１実施の形態においては、タイマー部１４によって時間の計時が開始されると、表示部１５による残り時間の表示も同時に開始するようになっている。これに対して、本実施の形態における表示部２５による残り時間の表示は、概略表示部２６の場合と同様に、制御部２２からの表示信号および残り時間情報が入力された際に行うようになっている。使用者によって入力部２１のタイマー設定ボタン７が操作され、タイマーの時間設定が行われた後タイマーがスタートされると、レーザ照射処理動作がスタートする。
【００５０】
ステップＳ６１，Ｓ６２で、図３に示すレーザ照射処理動作におけるステップＳ１，Ｓ２の場合と同様に、タイマー部２４による計時および残り時間を表す信号の送出が開始され、制御部２２によるレーザ照射ボタン２の押下判別結果による分岐が行われる。
【００５１】
ステップＳ６３で、上記制御部２２から表示部２５に対して表示停止信号が出力される。ステップＳ６４で、表示部２５によって、制御部２２からの表示停止信号に応じて、数値による残り時間の表示が停止される。こうして、電力の消費が抑えられるのである。
【００５２】
ステップＳ６５，Ｓ６６で、図３に示すレーザ照射処理動作におけるステップＳ５，Ｓ６の場合と同様に、レーザ照射部２３へのレーザ照射信号の出力、および、レーザ照射部２３によるレーザ照射が行われる。
【００５３】
ステップＳ６７で、上記制御部２２から表示部２５に対して表示信号とタイマー部２４からの残り時間情報とが送出される。ステップＳ６８で、表示部２５によって、制御部２２からの表示信号および残り時間情報に応じて、タイマーの残り時間が数値によって表示される。
【００５４】
ステップＳ６９〜ステップＳ７１で、図３に示すレーザ照射処理動作におけるステップＳ９〜ステップＳ１１の場合と同様に、レーザ照射部２３に対するレーザ照射停止信号の出力、レーザ照射部２３によるレーザ照射の停止、および、講演の残り時間が「０」であるかの判別結果に伴う分岐が行われる。そして、上記残り時間が「０」であると判別されるとレーザ照射処理動作が終了される。
【００５５】
上述のように、本レーザ照射処理動作においては、上記タイマー設定ボタン７が操作され、タイマーの時間設定が行われて計時がスタートされる。そして、上記レーザ照射ボタン２が押下されると表示部２５による残り時間表示を停止する一方、レーザ照射ボタン２が押下されないと表示部２５によって残り時間を数値表示するようにしている。したがって、使用者が講演の残り時間の確認を行うことが無いレーザ照射時には、表示部２５による残り時間の表示を停止して、電力の消費を抑えることができるのである。
【００５６】
また、詳細な説明は省略するが、上記制御部２２によって、上記第１実施の形態の図４におけるレーザ照射処理動作と全く同様のレーザ照射処理動作を実行することによって、使用者が講演の残り時間の確認を行うことが無いレーザ照射時に、概略表示部２６によるＬＥＤの点灯を停止して、電力の消費を抑えることができるのである。
【００５７】
図８は、上記制御部２２によって実行される残り時間表示処理動作のフローチャートである。以下、図８に従って、残り時間表示処理動作とそれに伴う表示部２５および概略表示部２６による残り時間の表示とについて説明する。
【００５８】
ステップＳ８１〜ステップＳ８４で、図５に示す残り時間表示処理動作におけるステップＳ４１〜ステップＳ４４の場合と同様に、上記タイマー部２４による計時および残り時間を表す信号の送出が開始され、制御部２２によるレーザ照射ボタン２の押下判別結果による分岐、概略表示部２６への表示停止信号の出力、および、概略表示部２６による残り時間概略表示部５の各ＬＥＤの消灯が行われる。こうして、電力の消費が抑えられるのである。
【００５９】
ステップＳ８５で、上記制御部２２から表示部２５に対して表示信号とタイマー部２４からの残り時間情報とが送出される。ステップＳ８６で、表示部２５によって、制御部２２からの表示信号および残り時間情報に応じて、タイマーの残り時間が数値によって表示される。
【００６０】
ステップＳ８７で、上記制御部２２から表示部２５に対して表示停止信号が出力される。ステップＳ８８で、表示部２５によって、制御部２２からの表示停止信号に応じて、表示部２５による残り時間の数値表示が停止される。こうして、電力の消費が抑えられるのである。
【００６１】
ステップＳ８９〜ステップＳ９１で、図５に示す残り時間表示処理動作におけるステップＳ４９〜ステップＳ５１の場合と同様に、概略表示部２６への表示信号と残り時間情報との送出、概略表示部２６による残り時間の概略表示、および、講演の残り時間が「０」であるかの判別結果に伴う分岐が行われる。そして、残り時間が「０」であると判別されると残り時間表示処理動作を終了する。
【００６２】
上述のように、本残り時間表示処理動作においては、上記残り時間表示ボタン６が押下されると、概略表示部２６によるＬＥＤの点灯を停止すると共に、表示部２５によって残り時間を数値で表示する。一方、残り時間表示ボタン６が押下されないと、表示部２５による残り時間の数値表示を停止すると共に、概略表示部２６によって残り時間に応じた数のＬＥＤを点灯するようにしている。したがって、同時に確認する必要の無い表示部２５による残り時間の数値表示と概略表示部２６による残り時間概略表示とを同時に行わないようにでき、消費電力を低く抑えることができるのである。
【００６３】
以上のごとく、本実施の形態におけるレーザポインタの表示部２５を、自発光式の表示装置で構成して、制御部２２からの表示信号および残り時間情報に応じて、タイマーの残り時間を数値表示するようにしている。この場合においても、制御部２２は、上記第１実施の形態の場合と同様のレーザ照射処理動作や残り時間表示処理動作を実行するようにしている。したがって、使用者が講演の残り時間の確認を行うことが無いレーザ照射時には、表示部２５による残り時間の数値表示または概略表示部２６によるＬＥＤの点灯を停止して、電力の消費を抑えることができるのである。さらに、同時に確認する必要の無い表示部２５による残り時間の数値表示と概略表示部２６による残り時間概略表示とを同時に行わないようにして、消費電力を低く抑えることができるのである。
【００６４】
尚、本実施の形態の場合にも、上記第１実施の形態の場合と同様に、上記レーザ照射ボタン２の押下によるレーザー照射処理動作と残り時間表示ボタン６の押下による残り時間表示処理動作とを、１つの処理動作にまとめることができる。
【００６５】
【発明の効果】
以上より明らかなように、この発明のレーザポインタは、制御部を、外部からの指示に応じて、設定時間に対する残り時間を表示する表示部およびレーザ照射部の動作を、互いが同時に動作しないように制御するようにしたので、上記制御部に対して外部からレーザの照射が指示された場合には、上記レーザ照射部を動作させる一方、上記表示部の動作を停止させることができる。したがって、使用者が講演や講義の残り時間の確認を行うことが無いレーザ照射時には、上記表示部による残り時間の表示を停止して、無駄な電力消費を抑えることができるのである。
【００６６】
また、この発明のレーザポインタは、制御部を、外部からの指示に応じて、設定時間に対する残り時間を表示する表示部の照明を行う照明部およびレーザ照射部の動作を、互いが同時に動作しないように制御するようにしたので、上記制御部に対して外部からレーザの照射が指示された場合には、上記レーザ照射部を動作させる一方、上記照明部の動作を停止させることができる。したがって、使用者が講演や講義の残り時間の確認を行うことが無いレーザ照射時には、自発光方式によらない上記表示部による表示内容を照射して上記表示内容が見えるようにする上記照明部の動作を停止して、無駄な電力消費を抑えることができるのである。
【００６７】
また、この発明のレーザポインタは、制御部を、外部からの指示に応じて、設定時間に対する残り時間の概略を表示する概略表示部およびレーザ照射部の動作を、互いが同時に動作しないように制御するようにしたので、上記制御部に対して外部からレーザの照射が指示された場合には、上記レーザ照射部を動作させる一方、上記概略表示部の動作を停止させることができる。したがって、使用者が講演や講義の残り時間の確認を行うことが無いレーザ照射時には、上記概略表示部による残り時間の概略表示を停止して、無駄な電力消費を抑えることができるのである。
【００６８】
また、この発明のレーザポインタは、制御部を、外部からの指示に応じて、設定時間に対する残り時間を表示する表示部及び上記残り時間の概略を表示する概略表示部の動作を、互いが同時に動作しないように制御するようにしたので、上記制御部に対して外部から残り時間の正確な表示が指示された場合には、上記表示部を動作させて残り時間の正確な表示を行う一方、上記概略表示部の動作を停止させることができる。したがって、同時に行う必要の無い上記表示部による残り時間の表示と上記概略表示部による残り時間の概略表示とを同時に行わないようにして、無駄な電力消費を抑えることができるのである。
【００６９】
また、この発明のレーザポインタは、制御部を、外部からの指示に応じて、設定時間に対する残り時間を表示する表示部の照明を行う照明部および上記残り時間の概略を表示する概略表示部の動作を、互いが同時に動作しないように制御するようにしたので、上記制御部に対して外部から残り時間の正確な表示が指示された場合には、自発光方式によらない上記表示部による表示内容を照射して上記表示内容が見えるようにする上記照明部を動作させる一方、上記概略表示部の動作を停止させることができる。したがって、同時に行う必要の無い上記照明部による上記表示部の照明と上記概略表示部による残り時間の概略表示とを同時に行わないようにして、無駄な電力消費を抑えることができるのである。
【図面の簡単な説明】
【図１】この発明のレーザポインタにおける外観図である。
【図２】図１に示すレーザポインタのブロック図である。
【図３】図１における制御部によって実行されるレーザ照射処理動作のフローチャートである。
【図４】図３とは異なるレーザ照射処理動作のフローチャートである。
【図５】図１における制御部によって実行される残り時間表示処理動作のフローチャートである。
【図６】図２とは異なるレーザポインタのブロック図である。
【図７】図６における制御部によって実行されるレーザ照射処理動作のフローチャートである。
【図８】図６における制御部によって実行される残り時間表示処理動作のフローチャートである。
【符号の説明】
１…レーザポインタ、
２…レーザ照射ボタン、
４…液晶表示装置、
５…残り時間概略表示部、
６…残り時間表示ボタン、
７…タイマー設定ボタン、
１１，２１…入力部、
１２，２２…制御部、
１３，２３…レーザ照射部、
１４，２４…タイマー部、
１５，２５…表示部、
１６…照明部、
１７，２６…概略表示部。
【図１】
2004020604.tif 000003
【図２】
2004020604.tif 000004
【図３】
2004020604.tif 000005
【図４】
2004020604.tif 000006
【図５】
2004020604.tif 000007
【図６】
2004020604.tif 000008
【図７】
2004020604.tif 000009
【図８】
2004020604.tif 000010